(57)【要約】【課題】光源として複数個のランプユニットを備えた投写型映像表示装置において、ランプユニットが点灯するか否かを容易に判別できるようにした投写型映像表示装置を提供すること。【解決手段】本発明に係る投写型映像表示装置は、光源として複数個のランプユニット１１，１２を備え、ランプユニット１１，１２毎に点灯されていることを表示するインジケータ１１Ａ，１２Ａが本体ケーシング１の外部から認識できるように設けられている。このインジケータ１１Ａ，１２Ａは、点灯しているランプユニット１１，１２の光を光源とすることが好ましい。また、複数のインジケータ１１Ａ，１２Ａ間には隔壁を設けることが好ましい。なお、複数個のランプユニット１１，１２は、同時点灯方式、切換点灯方式の何れにも適用できる。【選択図】図２
2010286642.tif 000002
【特許請求の範囲】
【請求項１】
光源としての複数のランプユニットを備えた投写型映像表示装置において、ランプユニット毎に点灯されていることを表示するインジケータが本体ケーシングの外部から認識できるように設けられていることを特徴とする投写型映像表示装置。
【請求項２】
前記インジケータは、それぞれ点灯しているランプユニットの光を光源としていることを特徴とする請求項１記載の投写型映像表示装置。
【請求項３】
前記複数のランプユニットは、同時に点灯するように構成されていることを特徴とする請求項１又は２記載の投写型映像表示装置。
【請求項４】
前記複数のランプユニットは、切換式に点灯するように構成されていることを特徴とする請求項１又は２記載の投写型映像表示装置。
【請求項５】
前記インジケータは、それぞれ、ランプユニットの壁体又はランプユニットが接続される光学系の筐体の壁体に設けられた貫通孔と、この貫通孔に対向して本体ケーシングに設けられた貫通孔と、この本体ケーシングに設けられた貫通孔に取り付けられた透光体とから構成されていることを特徴とする請求項１〜４の何れか１項に記載の投写型映像表示装置。
【請求項６】
前記透光体は、導光体であり、本体ケーシング側の表面で全反射してランプユニットからの光を放出するように形成されている構成されていることを特徴とする請求項５記載の投写型映像表示装置。
【請求項７】
前記複数のインジケータ相互間には、他のランプユニットの光を受光しないように隔壁が設けられていることを特徴とする請求項５又は６記載の投写型映像表示装置。
【請求項８】
前記隔壁は、前記ランプユニットの壁体又はランプユニットが接続される光学系の筐体の壁体に設けられた貫通孔と前記本体ケーシング側の貫通孔との間を連結する筒状のガイド壁として形成されていることを特徴とする請求項７記載の投写型映像表示装置。
【請求項９】
前記ランプユニットの壁体又はランプユニットが接続される筐体の壁体に設けられた貫通孔は、前記本体ケーシングの貫通孔より小さい孔に形成されていることを特徴とする請求項５〜８の何れか１項に記載の投写型映像表示装置。
【発明の詳細な説明】
【技術分野】
【０００１】
本発明は、投写型映像表示装置に関り、特に、複数の光源を備えた投写型映像表示装置に関する。
【背景技術】
【０００２】
投写型映像表示装置（プロジェクタ）は、光源としてのランプユニットから射出された光がライトバルブにより変調されて投写レンズによりスクリーンに投影される構造であって、大型の映像を得ることが容易である。このため、投写型映像表示装置は、会議、研修会、公共施設における広報手段などとして映像を提供する用途に多く使用されている。
【０００３】
このような投写型映像表示装置において、複数個のランプユニットを用いるものがある。複数個のランプユニットを用いる方式としては同時点灯方式のものと切換点灯方式のものが存在する。前者のものは、例えば特許文献１〜４のように、光源の長寿命化、ランプユニットの寿命による発光停止が生じた場合における投影の継続、表示画面の高輝度化などのために複数個のランプユニットを同時に点灯させるものである。また、後者のものは、例えば特許文献５及び特許文献６のように、ランプユニットの寿命による発光停止（ランプ切れ）が生じた場合に、予備のランプユニットに迅速に切り換えるように、ランプユニットを切換式に使用するようにしたものである。
【先行技術文献】
【特許文献】
【０００４】
【特許文献１】特開２００１−２１９９６号公報
【特許文献２】特開２００２−９０８７７号公報
【特許文献３】特開２００４−１３８６３７号公報
【特許文献４】特開２００８−２８７２０９号公報
【特許文献５】特開平２−２５７１９２号公報
【特許文献６】特開平４−１０４５８３号公報
【発明の概要】
【発明が解決しようとする課題】
【０００５】
しかしながら、これら従来の投写型映像表示装置においては、ランプユニットが点灯していることを示すインジケータが取り付けられていなかった。このため、何れかのランプユニットが発光停止（ランプ切れ）した場合に、何れのランプユニットが点灯しないかを迅速に判別できず、ランプユニットの交換が遅れてしまうという問題があった。
【０００６】
本発明は、このような背景に鑑み、光源として複数個のランプユニットを備えた投写型映像表示装置であって、ランプユニットが点灯するか否かを容易に判別できるようにした投写型映像表示装置を提供することを目的とする。
【課題を解決するための手段】
【０００７】
本発明に係る投写型映像表示装置は、光源としての複数のランプユニットを備えた投写型映像表示装置において、ランプユニット毎に点灯されていることを表示するインジケータが本体ケーシングの外部から認識できるように設けられていることを特徴とする。
【０００８】
このように構成すると、複数個のランプユニットについて、何れのランプユニットが点灯し、何れのランプユニットが点灯しないかを容易に判別することができる。例えば、同時点灯方式の場合は、複数個のランプユニットを同時に点灯させると、インジケータから光りが放出されないランプユニット何れであるかを一目で判別することができる。また、切換点灯方式の場合は、全てのランプユニットを順次点灯させることにより、点灯するランプユニットを認識し得る。したがって、点灯するランプユニットとし認識されなかったランプユニットが発光停止のランプユニットであると判別することができる。なお、この切換点灯方式の場合であって、点灯中のランプユニットが切れた場合は、点灯中のランプユニットを確認しておくことにより、直ちに発光停止のランプユニットを判別できることは言うまでもない。
【０００９】
また、前記インジケータは、それぞれ点灯しているランプユニットの光を光源としていることが好ましい。通常のインジケータでは、ＬＥＤなどのインジケータ用としての特別の発光源を必要とするが、本発明の場合は特別の光源を用いないのでその分コストを軽減することができる。また、ランプユニットが点灯している限りそのランプユニット用のインジケータが必ず光りを放つことになるので、インジケータの信頼性も向上する。
【００１０】
また、前記複数のランプユニットは、同時に点灯するようにすることができる。このように構成されている場合にあっては、前述のように、ランプユニットを同時点灯状態とすることにより点灯しないランプユニットを一目で判別することができる。
【００１１】
また、前記複数のランプユニットは、切換式に点灯するようにしたものでもよい。このように構成されている場合にあっては、前述のように、全てのランプユニットを順次切り換えて点灯させることにより、ランプ切れを起こしているランプユニットを判別することができる。
【００１２】
また、前記インジケータは、それぞれ、ランプユニットの壁体又はランプユニットが接続される光学系の筐体の壁体に設けられた貫通孔と、この貫通孔に対向して本体ケーシングに設けられた貫通孔と、この本体ケーシングに設けられた貫通孔に取り付けられた透光体とから構成されているようにしてもよい。このように構成すると、ランプユニット又は光学系の筐体と本体ケーシングとの間に存在する空間を通してランプユニットからの光を透光体に導いて外部に放出することができるので、極めて簡略なインジケータを構成することができる。また、本体ケーシングの貫通孔には透光体が取り付けられているので、本体ケーシングの内部にごみなどが侵入することを防止することができる。
【００１３】
前記透光体は、導光体であり、本体ケーシング側の表面で全反射してランプユニットからの光を放出するように形成されているようにしてもよい。このように構成すると、透光体全体から略均等に光を放つので、インジケータを装飾的機能部品として扱うことができるとともに、点灯しているか否かの認識が容易になる。
【００１４】
また、このような投写型映像表示装置において、前記複数のインジケータ相互間には、他のランプユニットの光を受光しないように隔壁が設けられていることが好ましい。一般の投写型映像表示装置においては、一方のインジケータと他のインジケータとの間には光の通過を妨げる突起物がランプユニット或いは光学系の筐体、又は本体ケーシングから突出して形成されていることが多いため、両インジケータの間を仕切る仕切り壁を態々設ける必要がない場合もある。しかし、そのような構造でない場合は、各インジケータは、上記のような隔壁を設けることにより他方のランプユニットからの光の受光を回避して確実に対象とするランプユニットからの光のみを受光することができる。
【００１５】
また、前記隔壁は、前記ランプユニットの壁体又はランプユニットが接続される光学系の筐体の壁体に設けられた貫通孔と前記本体ケーシング側の貫通孔との間を連結する筒状のガイド壁としてもよい。このように構成すれば、他方のインジケータの光源を成すランプユニットからの光をより確実に受光しないようにすることができる。また、取り出されたランプユニットからの光を効率よく透光体に導くことができる。
【００１６】
前記ランプユニット又は切換装置の貫通孔は、前記本体ケーシングの貫通孔より小さい孔に形成されていることが好ましい。このように構成することにより、ランプユニットから取り出す光量をインジケータとしての必要な量に制限することができる。また、本体ケーシング側の貫通孔を大きくすることができるので、透光体を取り付けることが容易になる。
【発明の効果】
【００１７】
本発明に係る投写型映像表示装置によれば、複数個のランプユニットについて、同時に又は順次全てを点灯させることにより、何れのランプユニットが点灯し、何れのランプユニットが点灯しないかを容易に判別することができる。
【図面の簡単な説明】
【００１８】
【図１】実施の形態１に係る投写型映像表示装置の光学系の系統図である。
【図２】同投写型映像表示装置におけるインジケータ周辺の構造図である。
【図３】同投写型映像表示装置の外観図である。
【図４】実施の形態２に係る投写型映像表示装置の光学系の系統図である。
【図５】変形例にかかる照明装置の模式図である。
【発明を実施するための形態】
【００１９】
（実施の形態１）
以下、本発明の実施の形態１に係る投写型映像表示装置について図面を参照しながら説明する。
【００２０】
図１は、本実施の形態に係る投写型映像表示装置の本体ケーシング１の内部に収納された光学系を示す。この図に示すように、この光学系は、光源を成す照明装置１０、照明装置１０から出射された光を輝度分布の安定した光に変換するインテグレータ光学系２０を備えている。また、光学系は、輝度分布の安定した光を青色、緑色、赤色の各光成分に分離して各色光用の液晶ライトバルブ４１．４２．４３に供給する分離光学系３０、液晶ライトバルブ４１．４２．４３にて色光毎に画像信号に応じて変調し、変調された各色光を合成する合成光学系４０、合成された光を投写する投写光学系５０を備えている。
【００２１】
照明装置１０は、対向配置された２個のランプユニット１１，１２と、これらランプユニット１１，１２間に配置された光路変更部材１３とからなる。２個のランプユニット１１，１２は、超高圧水銀ランプ、メタルハライドランプなどの放電型ランプが発光体１１ａ，１２ａとして使用されるととともに、発光体１１ａ，１２ａからの照射光がリフレクタ１１ｂ，１２ｂによって平行光となって、発光体１１ａ，１２ａの軸方向に出射されるように構成されている。
【００２２】
光路変更部材１３は、各ランプユニット１１，１２から出射された平行光を照射面であるインテグレータレンズ２１（後記参照）の光入射面に向けて反射するように各ランプユニット１１，１２とインテグレータレンズ２１との位置関係に対応して配置された２個の反射面１３ａ，１３ｂを備えている。このように構成されることにより、ランプユニット１１からの出射光がインテグレータレンズ２１の図１における左半分の領域に導かれ、ランプユニット１２からの出射光がインテグレータレンズ２１の図１における右半分の領域に導かれる。
【００２３】
インテグレータ光学系２０は、インテグレータレンズ２１、偏光変換装置２２、コンデンサーレンズ２３などから構成されている。インテグレータレンズ２１は、一対のレンズ群（フライアイレンズ）から構成され、個々のレンズ部分がランプユニット１１，１２から出射された光を後述する液晶ライトバルブ４１．４２．４３の全面に導くように構成されている。これにより照明装置１０から出射された光に存在する部分的な輝度ムラを平均化し、画面中央と周辺部とでの光量差を低減する。
【００２４】
分離光学系３０は、ダイクロイックミラー３１，３２、全反射ミラー３３，３４，３５、コンデンサーレンズ３６，３７，３８、リレーレンズ３９ａ，３９ｂ，３９ｃなどから構成される。
【００２５】
合成光学系４０は、第１〜第３の変調手段である、青色光成分を変調する青色光用液晶ライトバルブ４１、緑色光成分を変調する緑色光用液晶ライトバルブ４２、及び赤色光成分を変調する赤色光用液晶ライトバルブ４３と、クロスダイクロイックプリズム４４とかを備えている。また、青色光用液晶ライトバルブ４１は、液晶パネル４１ａと、液晶パネル４１ａの入射側に配置された入射側偏光板４１ｂ，液晶パネル４１ａの出射側に配置された出射側偏光板４１ｃとから構成されている。同様に緑色光用液晶ライトバルブ４２は、液晶パネル４２ａ，入射側偏光板４２ｂ，出射側偏光板４２ｃとから構成され、また、赤色光用液晶ライトバルブ４３は、液晶パネル４３ａ，入射側偏光板４３ｂ，出射側偏光板４３ｃとから構成されている。
【００２６】
コンデンサーレンズ２３から出射された白色光は、分離光学系３０において、緑色光成分及び赤色光成分が第１のダイクロイックミラー３１で反射され、青色光成分がこのダイクロイックミラー３１を透過する。また、ダイクロイックミラー３１で反射された緑色光成分及び赤色光成分のうち緑色光成分は、第２のダイクロイックミラー３２で反射され、他方の赤色光成分は第２のダイクロイックミラー３２を透過する。コンデンサーレンズ２３から出射された白色光は、このようにして分離される。
【００２７】
上記のように分離された各色光成分は、次のように分離光学系３０を経て合成光学系４０において合成される。ダイクロイックミラー３１を透過した青色光成分は、全反射ミラー３３で反射された後コンデンサーレンズ３６を介して青色光用液晶ライトバルブ４１に導かれる。また、第２のダイクロイックミラー３２で反射された緑色光成分は、コンデンサーレンズ３７を介して緑色光用液晶ライトバルブ４２に導かれる。また、第２のダイクロイックミラー３２を透過した赤色光成分はコンデンサーレンズ３８及びリレーレンズ３９ａ，３９ｂ，３９ｃを介するとともに、全反射ミラー３４，３５で反射されて赤色光用液晶ライトバルブ４３に導かれる。そして、これら液晶ライトバルブ４１，４２，４３で変調された青色光成分、緑色光成分、赤色光成分は、クロスダイクロイックプリズム４４で合成されて、投写光学系５０へ出射される。
【００２８】
図２は、インジケータ周辺の構造図である。両ランプユニット１１，１２は光路変更部材１３を挟んで対称的に構成されているため、インジケータ周辺の構造図として一つの図を代表図として図２に示し、この図に両インジケータを構成する構成要素の符号を記す。なお、括弧外はランプユニット１１側のインジケータの構成要素の符号を示し、括弧内はランプユニット１２側のインジケータの構成要素の符号を示すものとする。
【００２９】
インジケータ１１Ａ，１２Ａは、図２に示すようにランプユニット１１，１２毎に形成されたものであって、各ランプユニット１１，１２の壁体１１ｃ，１２ｃに貫通孔１１ｄ，１２ｄが設けられている。また、この貫通孔１１ｄ，１２ｄに対向して本体ケーシング１に貫通孔１１ｅ，１２ｅが設けられている。そして、貫通孔１１ｅ，１２ｅには本体ケーシング１の外部から認識できるように透光体１１ｆ，１２ｆが嵌め込まれ、さらに、この貫通孔１１ｅ，１２ｅの周囲を囲繞する筒状のガイド壁１１ｇ，１２ｇが本体ケーシング１の内面側に立ち上げられている。
【００３０】
上記構成において、貫通孔１１ｄ，１２ｄはインジケータ１１Ａ，１２Ａに必要な光量を放出させればよく断面円形の極小の孔でよい。これに対し貫通孔１１ｅ，１２ｅは、本体ケーシング１の外部から容易に認識できる程度の大きさの透光体１１ｆ，１２ｆを取り付ける必要があるため、貫通孔１１ｄ，１２ｄより大きく形成されている。貫通孔１１ｅ，１２ｅの孔断面形状は、透光体１１ｆ，１２ｆを取り付けるのに便利な形状であれば良く、例えば四角形、円形などに形成されている。なお、貫通孔１１ｅ，１２ｅは、前記透光体１１ｆ，１２ｆにおける本体ケーシング１の外表面部に露出する部分よりは小さく形成されている。
【００３１】
透光体１１ｆ，１２ｆは、貫通孔１１ｅ，１２ｅに嵌め込まれる部分が小さく形成され、本体ケーシング１の外表面部を覆うように形成されている部分が大きく形成されている。本体ケーシング１の外表面部を覆う部分の平面形状は、単純な円形でもよいが、他のデザインを加味した形状としてもよい。また、透光体１１ｆ，１２ｆは、無色透明体の導光体が用いられている。そして、ランプユニット１１，１２からの光がこの透光体１１ｆ、１２ｆに導かれ、本体ケーシング１側の表面で全反射して、全体が略均等に光るように形成されている。
【００３２】
ガイド壁１１ｇ，１２ｇは、他のランプユニット１１，１２からの光の受光を防止するとともに、ランプユニット１１，１２の壁体と本体ケーシング１との間に介在する空気層を介して、貫通孔１１ｄ，１２ｄから放出される光を効率よく透光体１１ｆ，１２ｆに導くためのものである。このため、ガイド壁１１ｇ，１２ｇは、本体ケーシング１と一体的に形成されたものであって、ランプユニット１１，１２の貫通孔１１ｄ、１２ｄと本体ケーシングの貫通孔１１ｅ，１２ｅを連結して他のランプユニット１１，１２空の光を受光しないようにするとともに、透光体１１ｆ，１２ｆから光を放出するように形成されている。
【００３３】
インジケータ１１Ａ，１２Ａは、以上のように構成されており、図３の外観斜視図に示すようにランプユニット１１，１２の配置場所に対応する本体ケーシング１の外表面部に透光体１１ｆ，１２ｆが露出するように形成されている。したがって、このインジケータ１１Ａ，１２Ａによりランプユニット１１，１２が点灯されていることを容易に認識することができる。また、投影中にランプ切れしたランプユニット１１，１２が存在する場合には、インジケータ１１Ａ，１２Ａから光が放出されないことから容易に判別することができる。
【００３４】
本実施の形態に係る投写型映像表示装置は、以上のように構成されているので次のような効果を奏することができる。
（１）複数個のランプユニット１１，１２について、全てのランプユニットが点灯しているか、何れのランプユニットが発光停止（ランプ切れ）しているか容易に判別することができる。
【００３５】
（２）インジケータ１１Ａ，１２Ａは、点灯しているランプユニット１１，１２の光を光源としているので、インジケータ１１Ａ，１２Ａはランプユニット１１，１２の発光停止を確実に伝達することができる。また、インジケータ１１Ａ，１２Ａ用としての特別の発光源を必要としないので、その分コストを軽減することができる。
【００３６】
（３）インジケータ１１Ａ，１２Ａは、各ランプユニット１１，１２の壁体に設けられた貫通孔１１ｄ，１２ｄと、この貫通孔１１ｄ，１２ｄに対向して本体ケーシング１に設けられた貫通孔１１ｅ，１２ｅと、この貫通孔１１ｅ，１２ｅに取り付けられた透光体１１ｆ，１２ｆとを備えたものである。また、ランプユニット１１，１２と本体ケーシング１との間に存在する空間を通してランプユニット１１，１２からの光を透光体１１ｆ，１２ｆに導いて外部に放出している。このような簡略な構成により特別の光源を用いずにインジケータ１１Ａ，１２Ａが構成されている。
【００３７】
（４）透光体１１ｆ，１２ｆは、導光体であり、本体ケーシング１側の表面で全反射してランプユニット１１，１２からの光を放出するように形成されているので、透光体１１ｆ，１２ｆ全体から均等に光を放つことができる。したがって、インジケータ１１Ａ，１２Ａに装飾的機能をもたせることができるとともに、インジケータ１１Ａ，１２Ａが点灯しているか否かを容易に認識することができる。
【００３８】
（５）インジケータ１１Ａ，１２Ａとしては、本体ケーシング１の貫通孔１１ｅ，１２ｅに透光体１１ｆ，１２ｆを取り付けない構造としてもその機能を果たすことが可能であるが、透光体１１ｆ，１２ｆを取り付けない場合は、ごみの侵入が多くなる恐れがある。これに対し、本実施の形態のように透光体１１ｆ，１２ｆを嵌めて込んで取り付けておくとごみの侵入を防止することができる。
【００３９】
（６）また、透光体１１ｆ，１２ｆは、本体ケーシング１の外表面を覆うように形成されているので、本体ケーシング１の外表面から若干突出している。このため、この透光体１１ｆ，１２ｆから光が放出されている場合は、側方から見ても容易に判別することができる。
【００４０】
（７）ランプユニット１１，１２の貫通孔１１ｄ，１２ｄと本体ケーシング１の貫通孔１１ｅ，１２ｅとを連結するように、本体ケーシング１と一体的に筒状のガイド壁１１ｇ，１２ｇが形成されている。したがって、二つのインジケータ１１Ａ，１２Ａ間において他方のインジケータ１１Ａ，１２Ａの光源を成すランプユニット１１，１２からの光を受光しないようにすることができる。また、貫通孔１１ｄ，１２ｄから取り出されたランプユニット１１，１２からの光を効率よく活用することができる。
【００４１】
（８）ランプユニット１１，１２の貫通孔１１ｄ，１２ｄは、本体ケーシング１の貫通孔１１ｅ，１２ｅより小さい孔とされているので、ランプユニット１１，１２から取り出す光量をインジケータ１１Ａ，１２Ａしての必要な量に制限することができる。また、本体ケーシング１側の貫通孔１１ｅ，１２ｅを大きくすることができるので、透光体１１ｆ，１２ｆを取り付けることが容易になる。
（実施の形態２）
次に、実施の形態２について図４に基づき説明する。なお、図４において実施の形態１と同一の部分については同一の符号を付しその説明を省略する。
【００４２】
実施の形態２は、実施の形態１における２個のランプユニット１１，１２を切換式に使用するようにしたものであって、光学系は、実施の形態１の場合と同様、照明装置１０、インテグレータ光学系２０、分離光学系３０、合成光学系４０、投写光学系５０から構成されている。そして、照明装置１０以外の部分については実施の形態１と同一である。したがって、以下の説明においては、主として相違点である照明装置１０について説明を行う。
【００４３】
照明装置１０は、実施の形態１の場合と同様に２個のランプユニット１１，１２が対向配置されている。そして、この両ランプユニット１１，１２間に切換装置１５が配置されている。
【００４４】
切換装置１５は、両ランプユニット１１，１２間の中央部に配置された切換ミラー１５ａを有するものであって、切換ミラー１５ａの切換により選択された一方のランプユニット１１，１２からの光のみを出射するように光の出射経路を切り換えるように構成されている。すなわち、図４において切換ミラー１５ａが実線で示された位置にあるときは、図示左方のランプユニット１１からの光のみを出射するように光の出射経路を切り換えた位置にある。また、図４において切換ミラー１５ａが破線の位置にあるときは、図示右方のランプユニット１２からの光のみを出射するように光の出射経路を切り換えている。この切り換えは、詳細は図示しないがモータ駆動により切り換えられる。また、切換装置１５は、発光停止（ランプ切れ）したランプユニット１１，１２を交換するときに、何れのランプユニット１１，１２が切れているかを容易に識別することができるようにするために、必要に応じ切換できるように構成されている。なお、インジケータ１１Ａ，１２Ａは同一である。
【００４５】
このような構成の投写型映像表示装置において、点灯中のランプユニット（例えばランプユニット１１）が発光停止した場合は、切換装置１５をモータ駆動して切換ミラー１５ａを回転させる（図１における実線位置から破線位置へ回転させる）。これにより、他方のランプユニット（この場合はランプユニット１２）からの光のみを出射するように光の出射経路を切り換えることができる。そして、切換後のラップユニット（この場合はランプユニット１２）を点灯させるとともに映像信号処理を再開して映像を投影する。勿論この切換は可逆的である。したがって、例えばランプユニット１２の使用可能期間中に発光停止したランプユニット１１を交換しておくと、ランプユニット１２が発光停止した場合には直ちにランプユニットの交換を行うことができ、映像中断時間を短く済ませることができる。
【００４６】
この場合において、発光停止したランプユニット１１，１２を交換する場合には、発光停止したランプユニット１１，１２が何れであるかを知っておく必要がある。しかしながら従来のようにランプユニット１１，１２が点灯されていることを示すインジケータがない場合には、交換するときに発光停止したランプユニット１１，１２が何れであったかを忘れてしまうことがあり得る、また、これを確認しようとしても確認に手間がかかるという問題があった。しかし、本発明においては、両ランプユニット１１，１２を順次点灯させながらインジケータの表示を見ておくことにより、何れのランプユニットが点灯し、何れのランプユニットが点灯しないかを容易に判別することができる。本実施の形態はこのような作用効果を奏する他、実施の形態１における（２）〜（８）の効果を奏することができる。
【００４７】
（変形例）
本発明は、上記実施の形態において以下のように変更することもできる。
・前記実施の形態においては、ランプユニット１１，１２の光をインジケータ１１Ａ，１２Ａの光源として取り出すためにランプユニット１１，１２に貫通孔１１ｄ，１２ｄを設けていた。しかし、この貫通孔１１ｄ，１２ｄの位置を光学系の筐体１４におけるランプユニット１１，１２の近傍の壁体１４ａ（図２参照）としてもよい。なお、この筐体１４の壁体１４ａには実施の形態２における切換装置１５を収納する筐体も含まれる。
【００４８】
・透光体１１ｆ，１２ｆは、無色である必要はなく赤、青などの有色の導光体としてもよい。また、この場合において、両ランプユニット１１，１２の透光体１１ｆ，１２ｆを別々の色としてもよい。こうすることにより、何れのランプユニット１１，１２が点灯し、或いは、発光停止したかをより確実に判別することができる。
【００４９】
・両インジケータ１１Ａ，１２Ａにおいて、他方のランプユニット１１，１２からの光の受光を避けるためには、上記のような筒状のガイド壁１１ｇ，１２ｇを設けるのではなく、両インジケータ１１Ａ，１２Ａ間に設けられた隔壁のようなものでもよい。
【００５０】
・また、ガイド壁は、円筒である必要はなく他の断面形状、例えば四辺形等の角筒としてもよい。
・また、ガイド壁１１ｇ、１２ｇは本体ケーシング１と一体的形成されることに代えて、ランプユニット１１，１２の壁体に一体的に形成してもよい。また、貫通孔１１ｄ、１２ｄが前述のように光学系の筐体１４の壁体１４ａに設けられる場合は、この壁体１４ａと一体的に形成してもよい。
【００５１】
・実施の形態１及び実施の形態２において、照明装置１０としてランプユニットの数を従来公知のような方法により３個以上としてもよい。図５にその一例を掲げる。図５の変形例に係る照明装置１０は、実施の形態１においてランプユニットの数を４個にした例を示す。この変形例に係る照明装置１０は、図示左右位置に、実施の形態１における照明装置と同様に構成された２個のランプユニット１１，１２からなる基本照明装置１０Ａを有し、この二組の基本照明装置１０Ａ間に光路変更部材１３を配置したものである。なお、基本照明装置１０Ａにおいて、２個のランプユニット１１，１２からの出射光は、２個の反射面１３０ａ，１３０ｂからなる光路変更部材１３０により合成されている。この光路変更部材１３０は、前記光路変更部材１３と同様のものである。
【００５２】
・また、上記実施の形態においては、投写型映像表示装置として光変調素子に液晶パネルを用いた３板式液晶プロジェクタを示したが、これに限定されるものではなく、他の画像光生成系を備えた投写型プロジェクタとしてもよい。例えば、ＤＬＰ（Digital Light Processing）（テキサス・インスツルメンツ（ＴＩ社）の登録商標）方式のプロジェクタを本発明に適用してもよい。
【産業上の利用可能性】
【００５３】
本発明に係る投写型映像表示装置は、ホームシアター、会議室、研修室、教室、娯楽場、各種展示室、スタジオなど多方面の施設における映像表示システムとして利用することができる。
【符号の説明】
【００５４】
１…本体ケーシング、１１．１２…ランプユニット、１１Ａ，１２Ａ…インジケータ、１１ｃ，１２ｃ…（ランプユニットの）壁体、１１ｄ，１１ｅ，１２ｄ，１２ｅ…貫通孔、１１ｆ，１２ｆ…透光体、１１ｇ，１２ｇ…ガイド壁、１４…筐体、１４ａ…（筐体の）壁体。
【図１】
2010286642.tif 000003
【図２】
2010286642.tif 000004
【図３】
2010286642.tif 000005
【図４】
2010286642.tif 000006
【図５】
2010286642.tif 000007